(57)【要約】【課題】使用中に発生する熱によりフレームが変形したり、剥がれたりすることのない表示装置を提供する。【解決手段】内部に表示ユニットを備えた表示筺体１００と、この表示筺体１００を支持するスタンド部４０を備え、表示筺体１００は、フロントキャビネット１０とリアキャビネット２０とを備え、フロントキャビネット１０は、表示ユニットを覆うベース部材１１と、複数のフレーム１０ａ〜１０ｄとを備えるとともに、フレーム１０ａ〜１０ｄがベース部材１１に取り付けられた状態で、互いに隣り合うフレームの端部に保護部材７０を配置する。【選択図】図１
2007094224.tif 000002
【特許請求の範囲】
【請求項１】
内部に表示ユニットを備えた表示筺体と、この表示筺体を支持するスタンド部を備えた表示装置であって、
前記表示筺体は、その前方を構成するフロントキャビネットと、後方を構成するリアキャビネットとを備え、
前記フロントキャビネットは、前記表示ユニットを覆うベース部材と、このベース部材に取り付けられる複数のフレームとを備えるとともに、前記複数のフレームが前記ベース部材に取り付けられた状態で、互いに隣り合うフレームの端部に配置される保護部材を備えていることを特徴とする表示装置。
【請求項２】
請求項１に記載の表示装置において、
前記フレームは、前記ベース部材に対して着脱可能に設けられていることを特徴とする表示装置。
【請求項３】
請求項１または請求項２に記載の表示装置において、
前記表示ユニットは、表示パネルと、この表示パネルの前面に配置されるフィルターとを備え、
前記ベース部材は、正面視において、前記フレームと前記フィルターとの間から露出することを特徴とする表示装置。
【請求項４】
請求項１または請求項２に記載の表示装置において、
前記ベース部材は、樹脂材料からなることを特徴とする表示装置。
【請求項５】
請求項１に記載の表示装置において、
前記保護部材は、樹脂材料からなることを特徴とする表示装置。
【発明の詳細な説明】
【技術分野】
【０００１】
本発明は、プラズマディスプレイパネルや液晶パネル等の薄型表示パネルを備えた表示装置に関する。
【背景技術】
【０００２】
薄型表示パネルを備えた表示装置として、例えば、プラズマテレビや液晶テレビ等がある。このような薄型の表示装置は、内部に表示ユニットを備えた表示筺体の前方を構成するフロントキャビネットと、後方を構成するリアキャビネットとを備え、フロントキャビネットは、表示ユニットを覆うようにネジ止め等の手段により、内部に設けられたシャーシへ固定されるようになっている。
【０００３】
フロントキャビネットは、表示ユニットの四辺を囲むように配置された４本のフレームからなる枠体構造のものが一般的であり、４本のフレームを同一部材で構成されたフロントキャビネット（特許文献１）や、異なる２種類の部材で構成されたフロントキャビネット（特許文献２）が知られている。
【０００４】
【特許文献１】特開２００１−１６０６９３号公報
【０００５】
【特許文献２】特開２００５−１１７１７７号公報
【発明の開示】
【発明が解決しようとする課題】
【０００６】
プラズマテレビや液晶テレビ等の表示装置においては、フロントキャビネットを構成するフレームを交換することにより機種展開を図っている。このため、フレームの交換が容易に行えることが望ましい。
【０００７】
上記特許文献１には、アルミニウムで構成された４本のフレームをブラケットとねじとを介して固定することによりフロントキャビネットを構成することが開示されている。
【０００８】
しかしながら、上記特許文献１においては、パネル取付時や梱包時、輸送時等において、各フレーム間に段差や隙間が生じないようにするためのフレーム取付構造に関するものであり、フレームを交換することについては開示されていない。
【０００９】
一方、上記特許文献２には、プラスチック材からなる側部フレーム部材と、この側部フレーム部材に対して着脱可能に取り付けられる金属フレーム部材とによりフロントキャビネットを構成することで、外観にデザイン的な差を出すことができ、かつ質感を向上して高級感を出すようにすることが開示されている。
【００１０】
しかしながら、上記特許文献２においては、金属フレーム部材を側部フレーム部材から取り外す際には、フロントキャビネットを表示筺体から取り外す必要があり、金属フレームを容易に交換するための課題が残る。
【００１１】
そこで、本発明の目的とするところは、フレームの交換を容易に行うことができる表示装置を提供することにある。
【課題を解決するための手段】
【００１２】
前記目的を達成するため、本発明に係る表示装置は、内部に表示ユニットを備えた表示筺体と、この表示筺体を支持するスタンド部を備えた表示装置であって、前記表示筺体は、その前方を構成するフロントキャビネットと、後方を構成するリアキャビネットとを備え、前記フロントキャビネットは、前記表示ユニットを覆うベース部材と、このベース部材に取り付けられる複数のフレームとを備えるとともに、前記複数のフレームが前記ベース部材に取り付けられた状態で、互いに隣り合うフレームの端部に配置される保護部材を備えるようにする。
【発明の効果】
【００１３】
本発明によれば、フレームの交換を容易に行うことができる表示装置を提供することができる。
【発明を実施するための最良の形態】
【００１４】
本発明に係る表示装置を、プラズマテレビを例として、図１から図５を参照して説明する。図１から図４は第１の実施形態を示し、図５は第２の実施形態を示している。なお、同一の部位や方向などは同一符号をもって示し、重複した説明を省略する。
（第１の実施形態）
図１から図４を参照して本発明の第１の実施形態に係るプラズマテレビを説明する。まず、図１を参照して、本発明に係るプラズマテレビの外観構成について説明する。図１は本発明の実施形態に係るプラズマテレビの外観斜視図であり、図１（ａ）が前方斜視図、図１（ｂ）が後方斜視図である。
図１において、符号１で総括的に示すプラズマテレビは、前面を構成するフロントキャビネット１０と、背面を構成するリアキャビネット２０と、スピーカー部３０とを備えた表示筺体１００と、この表示筺体１００を支持するスタンド部４０とから構成されている。
また、表示筺体１００は、表示画面１１０と、この表示画面１１０の前面に配置されるフィルター１２０とを備えている。
【００１５】
フィルター１２０は、表示画面１１０を保護したり、外部からの光による反射（映り込み）を防止するために設けられるものであり、ガラス等の透明素材で形成されている。
フロントキャビネット１０は、フィルター１２０を覆うように取り付けられる枠形状のベース部材１１と、このベース部材１１の四辺に取り付けられるフレーム１０ａ、１０ｂ、１０ｃ、１０ｄとで構成され、ベース部材１１とリアキャビネット２０とをネジ等の取付具により固定することで、フロントキャビネット１０が内部に設けられたシャーシへ取り付けられるようになっている。また、ベース部材１１は樹脂材料で形成されている。
【００１６】
ここで、この実施形態における大きな特徴は、ベース部材１１をリアキャビネット２０に固定した状態で、フレーム１０ａ、１０ｂ、１０ｃ、１０ｄをベース部材１１に対して着脱可能とした点に大きな特徴を備えている。
【００１７】
これにより、フロントキャビネット１０を構成するベース部材１１を表示筺体１００から取り外すことなくフレーム１０ａ、１０ｂ、１０ｃ、１０ｄの着脱することができるので、フレームの交換を容易に行うことができる。そして、これに伴い、様々な素材で形成したフレームを使用することができるので、デザインの自由度を広げることができる。
【００１８】
一方、フレーム１０ａ、１０ｂ、１０ｃ、１０ｄをベース部材１１へ取り付ける際には、使用中に発生する熱によりフレームに生じる僅かな変形を吸収するための隙間があらかじめ設けられている。プラズマテレビは、一般的に大画面を備えていることから、表示筺体１００も大きくなる。表示筺体１００が大きくなると、フロントキャビネット１０を構成する複数のフレーム１０ａ、１０ｂ、１０ｃ、１０ｄが長くなり、使用中に発生する熱による影響を受けやすくなる。特に、複数のフレーム１０ａ、１０ｂ、１０ｃ、１０ｄをアルミニウム等の金属素材で構成した場合には、使用中に発生する熱による影響が大きくなり、あらかじめ設けられた隙間では吸収しきれず、フレームに歪み（変形）が生じる可能性が高くなる。
【００１９】
このため、この実施形態では、フレーム１０ａ、１０ｂ、１０ｃ、１０ｄをベース部材１１へ取り付ける際、各フレームの角部に樹脂材料やゴム等の軟質材料からなる保護部材７０を設けている。この保護部材７０は、フレーム１０ａ、１０ｂ、１０ｃ、１０ｄを取り付ける際に生じる各フレーム間の隙間を埋めたり、フレーム１０ａ、１０ｂ、１０ｃ、１０ｄの角部を保護したりするものである。
これにより、使用中に発生する熱により生じるフレーム１０ａ、１０ｂ、１０ｃ、１０ｄの僅かな伸び縮みを、樹脂材料からなる保護部材７０により効率よく吸収することができ、フレームの歪み（変形）を軽減することができる。
【００２０】
次に、図２を参照して、本発明に係るプラズマテレビの内部構成について説明する。図２は本発明の実施形態に係るプラズマテレビの部品構成図である。
図２において、この実施形態に係るプラズマテレビは、図示しないシャーシに固定されたプラズマパネル１３０と、このプラズマパネル１３０の前面に配置され、金具等の取付具によりシャーシに固定されるフィルター１２０とを備え、このプラズマパネル１３０とフィルター１２０により表示ユニットが構成されている。
また、プラズマパネル１３０の後方には、図示しないメイン基板やチューナー等の電子素子が配置されている。そして、これらの表示ユニットや電子素子を、フレーム１０ａ、１０ｂ、１０ｃ、１０ｄとベース部材１１と保護部材７０とで構成されるフロントキャビネット１０（図１参照）と、リアキャビネット２０により覆うことで、プラズマテレビの表示筺体１００を構成している。そして、表示筺体１００は、スタンドステー４１を介してスタンド４０と接続され、スタンド４０と接続された状態では、左右それぞれ３０°ずつ回転できるようになっている。
【００２１】
次に、図３を参照して、本発明に係るプラズマテレビの内部構成の詳細を説明する。図３は本発明の実施形態に係るプラズマテレビの部分拡大断面図である。
図３において、１５０はフィルター１２０とプラズマパネル１３０とを電気的に接続するフロントフレームであり、このフロントフレーム１５０の前方に設けられたガスケット１４０と後方に設けられたエアーフィルター１６０とを介してフィルター１２０とプラズマパネル１３０とを電気的に接続することで、表示ユニットを構成している。
【００２２】
ガスケット１４０は、フィルター１２０とフロントフレーム１５０とを電気的に接触させるための部材であり、エアーフィルター１６０は、フィルター１２０とプラズマパネル１３０との間に塵埃が入らないようにするための部材である。
【００２３】
次に、表示ユニットとベース部材１１との取付構造について説明する。
図３において、ベース部材１１は、フィルター１２０とフロントフレーム１５０とを固定する図示しない金具を挟み込むように取り付けられ、ベース部材１１の後方部分がネジ８０を介してフロントフレーム１５０とリアキャビネット２０に固定される。これにより、表示ユニットとベース部材１１とリアキャビネット２０とが固定された筺体本体を構成するようになっている。そして、この筺体本体に対し、フレーム１０ａ、１０ｂ、１０ｃ、１０ｄをベース部材１１を挟み込むように取り付けたり、あるいは接着やネジ等によりベース部材１１とフレーム１０ａ、１０ｂ、１０ｃ、１０ｄとを固定することで、表示筺体１００が構成されるようになっている。
【００２４】
このような構成とすることにより、表示ユニットを複数のフレームからなるフロントキャビネットで直接覆う必要が無いので、フレームの取り付けや取り外しを容易に行うことができる。加えて、様々な素材（金属／樹脂など）からなるフレームや、様々なデザインが施されたフレーム（木目調／塗装）を使用することができ、かつフレームの交換のみで機種の展開を行うことができる。
【００２５】
なお、この実施形態では、曲面形状を基調としたフレーム１０ａ、１０ｂ、１０ｃ、１０ｄを採用しているが、平面形状や三角形状を基調としたフレームを採用してもよい。
【００２６】
次に、図４を参照して、フレームと保護部材との取付構造について説明する。図４は本発明の実施形態に係るプラズマテレビのフロントキャビネットの部分拡大図である。
図４（ａ）で示すフロントキャビネット１０においては、フレーム１０ａおよびフレーム１０ｂをベース部材１１に取り付けた状態で、フレーム１０ａとフレーム１０ｂの間に形成された隙間を埋めるように、保護部材７０を取り付けるようになっている。また、図４（ａ）においては、フレーム１０ａあるいはフレーム１０ｂの何れかの端部に保護部材７０を取り付けた状態で、フレーム１０ａおよびフレーム１０ｂをベース部材１１へ取り付けるようにしてもよい。具体的には、例えば、保護部材７０をフレーム１０ａの端部に取り付けた場合、まず、保護部材７０を備えたフレーム１０ａをベース部材１１へ接着等により取り付ける。次に、フレーム１０ｂの端部を保護部材７０へ当てるようにしてフレーム１０ｂをベース部材１１へ取り付けることで、図４（ｃ）で示すよう構成となる。
【００２７】
このような構成とすることにより、保護部材７０を容易に取り付けることができ、かつフレーム１０ａとフレーム１０ｂとの間に隙間が生じることなく、フレーム１０ａ、１０ｂをベース部材１１へ取り付けることができる。また、図４（ｃ）で示すように、ベース部材１１は、正面視において、フレーム１０ａ、１０ｂとフィルター１２０との間から露出するようになっているので、隙間を生じることなくフレーム１０ａ、１０ｂとフィルター１２０とを取り付けることができ、かつ塵埃の挿入を軽減することができる。
【００２８】
図４（ｂ）で示すフロントキャビネット１０においては、保護部材７０をあらかじめベース部材１１に取り付け、フレーム１０ａおよびフレーム１０ｂの端部を保護部材７０へ押し当てながら、フレーム１０ａおよびフレーム１０ｂをベース部材１１へ取り付けるようになっている。このような構成によっても、上述した実施形態と同様の効果を得ることができる。
【００２９】
なお、図４（ｂ）においては、保護部材７０をベース部材１１に取り付けているが、保護部材７０とベース部材１１とを一体に形成してもよい。また、図４で示す実施形態においては、フレーム１０ａおよびフレーム１０ｂの取付構成について説明したが、フレーム１０ｃおよびフレーム１０ｄの取り付けも同様に行うことができる。
（第２の実施形態）
次に、図５を参照して、この発明に係る第２の実施形態を説明する。図５は本発明の第２の実施形態に係るプラズマテレビの部分拡大断面図である。
【００３０】
図５において、この実施形態では、フレームと表示ユニットとを金具により固定する構成を基本としており、この金具をベース部材として使用した状態を示している。
【００３１】
金具５０は、その前方がクッション材５１を介してフィルター１２０に接続されるとともに、底面がフロントフレーム１５０と接続されることにより、フィルター１２０とフロントフレーム１５０とが固定されている。そして、ネジ８０を介して金具５０とフロントフレーム１５０とリアキャビネット２０を固定することで、表示筺体１００の筺体本体を構成するようになっている。そして、この筺体本体に対し、フレーム１０ａ、１０ｂ、１０ｃ、１０ｄを金具５０を挟み込むように取り付けたり、あるいは接着やネジ等により金具５０とフレーム１０ａ、１０ｂ、１０ｃ、１０ｄとを固定することで、表示筺体１００が構成されるようになっている。
【００３２】
このような構成とすることによっても、第１の実施形態と同様、フレームの取り付けや取り外しを容易に行うことができる。しかも、この第２の実施形態においては、金具とベース部材を兼用しているので、フレームを取り付けるためのベース部材を別途設ける必要が無い。
【００３３】
なお、この第２の実施形態においても、様々な素材（金属／樹脂など）からなるフレームや、様々なデザインが施されたフレーム（木目調／塗装）を使用するようにしてもよい。
【図面の簡単な説明】
【００３４】
【図１】本発明の第１の実施形態に係るプラズマテレビの外観斜視図である。
【図２】本発明の第１の実施形態に係るプラズマテレビの部品構成図である。
【図３】本発明の第１の実施形態に係るプラズマテレビの部分拡大断面図である。
【図４】本発明の第１の実施形態に係るプラズマテレビのフロントキャビネットの部分拡大図である。
【図５】本発明の第２の実施形態に係るプラズマテレビの部分拡大断面図である。
【符号の説明】
【００３５】
１…プラズマテレビ、１０…フロントキャビネット、１０ａ…フレーム、１０ｂ…フレーム、１０ｃ…フレーム、１０ｄ…フレーム、１１…ベース部材、２０…リアキャビネット、３０…スピーカー部、４０…スタンド部、４１…スタンドステー、５０…金具、５１…クッション材、７０…保護部材、８０…ネジ、１００…表示筺体、１１０…表示画面、１２０…フィルター、１３０…プラズマパネル、１４０…ガスケット、１５０…フロントフレーム、１６０…エアーフィルター。
【図１】
2007094224.tif 000003
【図２】
2007094224.tif 000004
【図３】
2007094224.tif 000005
【図４】
2007094224.tif 000006
【図５】
2007094224.tif 000007